(57)【特許請求の範囲】
【請求項１】
高さの異なる３以上の容器を収納自在な容器用包装箱であって、該包装箱の１つの周壁には収納された容器を上部より押さえるための押さえ片が箱内へ折り込み自在に延設されるとともに、該押さえ片は前記包装箱内へ互いに異なる高さに凸出して前記容器の上部に接する少なくとも２つの凸出面を折り曲げ形成することを特徴とする容器用包装箱。
【請求項２】
前記押さえ片には、容器用包装箱の周壁側から押さえ片の先端方向へ伸びる少なくとも１つの切れ込みと該切れ込みより垂直両方向に伸びる複数の折曲線とが形成され、該折曲線に沿って押さえ片を包装箱内へ凸出するように折り込むことで前記切れ込みの両側の押さえ片が前記包装箱内へ互いに異なる高さに凸出する凸出面を形成することを特徴とする請求項１に記載の容器用包装箱。
【請求項３】
前記凸出面のうち少なくとも１つの凸出面が、その中央近傍に前記折曲線が形成され、前記押さえ片を包装箱内へ凸出するように折り込むことで該折曲線部を頂角とする側面視山型の凸出面が形成されることを特徴とする請求項１または２のいずれかに記載の容器用包装箱。
【請求項４】
前記容器用包装箱内へ凸出するように折り込まれた前記押さえ片が、周壁上端より包装箱内下方へ折り曲げ形成される折り返し面と、該折り返し面下端より上方へ折り曲げ形成される逆折り返し面と、前記折り返し面の下端より水平後方へ折り曲げ形成される第一凸出面と、前記逆折り返し面の上端より水平後方へ折り曲げ形成される第二凸出面と、前記第一凸出面及び第二凸出面の後端より上方へ折り曲げ形成される立ち上がり面と、立ち上がり面の上端より水平前方へ折り曲げ形成される押さえ面とを形成すること特徴とする請求項１または２のいずれかに記載の容器用包装箱。
【請求項５】
前記容器用包装箱内へ凸出するように折り込まれた前記押さえ片が、周壁上端より包装箱内下方へ折り曲げ形成される折り返し面と、該折り返し面の下端より水平後方へ折り曲げ形成される第一凸出面と、前記折り返し面の下端より斜め上後方へ折り曲げられるとともに、その中央近傍で斜め下後方へ折り曲げ形成される第二凸出面と、前記第一凸出面及び第二凸出面の後端より上方へ折り曲げ形成される立ち上がり面と、立ち上がり面の上端より水平前方へ折り曲げ形成される押さえ面とを形成すること特徴とする請求項１ないし３のいずれかに記載の容器用包装箱。
【発明の詳細な説明】
【技術分野】
【０００１】
本発明は、化粧品等の製品を収納する容器用包装箱に関し、更に詳細には、１枚のシート素材より一体的に成形することができ、それぞれ異なる高さを有する３種以上の容器を安定的に収納可能な容器用包装箱の構成に関するものである。
【背景技術】
【０００２】
従来より、種類の異なる化粧料や食品等の製品を３つ程度組み合わせたものを、いわゆるお試しセットやトラベラーズセット、ギフトセット等として提供することが一般的に行われているが、種類の異なる製品は、それぞれの種類や目的・用途の違いにより、当然ながらその性質（液状・クリーム状・ジェル状・固形状等）や内容量も異なり、したがって、容器の寸法・形状もまちまちであることが多い。
【０００３】
このような複数の異なる寸法・形状の製品容器をひとつの包装箱にセットして販売する場合、箱内でガタつかないように、製品容器を合成樹脂をバキューム成形した保護トレーや台紙などの第一の部材に固定し、これを第二の部材である透明プラスチック箱等のケースに入れる方法が知られている（特許文献１）。
【０００４】
しかしながら、かかる容器の場合、２つの部材から構成されるために製造コストがかかるうえ、廃棄する際のゴミが増えるなどの問題があった。
【０００５】
【特許文献１】特開平１０−１９２０４６
【発明の開示】
【発明が解決しようとする課題】
【０００６】
そこで本発明は、従来の容器用包装箱のかかる欠点を克服し、それぞれ異なる高さを有する３種以上の製品容器を安定的に収納可能で、かつ、簡易な構造の容器用包装箱の提供をその課題とするものである。
【課題を解決するための手段】
【０００７】
本発明は、上記課題を解決するものであり、高さの異なる３以上の製品容器を収納自在な容器用包装箱であって、該包装箱の１つの周壁には収納された容器を上部より押さえるための押さえ片が箱内へ折り込み自在に延設されるとともに、該押さえ片は前記包装箱内へ互いに異なる高さに凸出して前記容器の上部に接する少なくとも２つの凸出面を折り曲げ形成することを特徴とする容器用包装箱である。
【発明の効果】
【０００８】
すなわち、本発明の容器用包装箱は、包装箱の周壁に延設された押さえ片を箱内に折り込むことにより、箱内へ異なる高さに凸出する少なくとも２つの凸出面を簡易に形成することができ、かかる凸出面によって収納された容器を上方から押さえることで高さの異なる製品の容器を安定的に収納できるものである。また、本発明の容器用包装箱は、折り込みの位置を変更するだけで、様々な寸法・形状の容器に対応することができるものである。
【発明を実施するための最良の形態】
【０００９】
以下、本発明の容器用包装箱の実施態様を、図面に基づいて具体的に説明する。なお、本発明はこれら実施態様に何ら制約されるものではない。
【００１０】
図１は本発明に係る化粧料容器用包装箱の展開図である。図中、1は包装箱、２ないし５は周壁、６は押さえ片、１０は折曲線、２１は糊代、２２は差込片、３１、３２、５１、５２は折込片、４１は蓋、４２は底蓋、４３は差込部、６１は折り返し面、６２は第一凸出面、６３は立ち上がり面、６４は逆折り返し面、６５は第二凸出面、６６は押さえ面、６７は切れ込み、そして、１０１ないし１０７は折曲線をそれぞれ示す。
【００１１】
図１に示すように、本実施態様の化粧料容器用包装箱は、１枚のシート素材より一体的に成形され、箱体に組み立てたときに、蓋片４１が延設されている周壁４と対向する周壁２の上端より、押さえ片６が延設されている。
【００１２】
押さえ片６は、左上より右下へと２段の段差を設けるように切り欠いて形成された１枚の板状片よりなり、その中程には、周壁２側から押さえ片６の先端方向へ伸びる切れ込み６７が形成され、切れ込み６７の両側には、垂直両方向に伸びる折曲線１０２ないし１０６が形成されている。この押さえ片６は、かかる折曲線に沿って包装箱１内へ凸出するように折り込むことができる。
【００１３】
押さえ片６を折曲線に沿って箱内へと折り込むことにより、箱内には高さの異なる２つの凸出面６２、６５が形成され、押さえ片６右側の切り欠かれた部分ではかかる凸出面が形成されないため、結果的に、包装箱１は内部で３つの異なる高さの天井面を有することになる。
【００１４】
図２ないし図４は、押さえ片６を箱内へ折り込んだ状態を示す断面図である。図２に示すように、押さえ片６の切れ込み６７の左側は、箱内へ折り込まれたときに、周壁２の上端の折曲線１０１で包装箱内下方へ折り曲げ形成される折り返し面６１と、折り返し面６１の下端の折曲線１０２で水平後方へ折り曲げ形成される第一凸出面６２と、第一凸出面６２の後端の折曲線１０３より上方へ折り曲げ形成される立ち上がり面６３と、立ち上がり面６３の上端の折曲線１０７より水平前方へ折り曲げ形成される押さえ面６６とを形成する。
【００１５】
図３に示すように、押さえ片６の切れ込み６７の右側は、箱内へ折り込まれたときに、周壁２の上端の折曲線１０１で包装箱内下方へ折り曲げ形成される折り返し面６１と、折り返し面６１の下端の折曲線１０４で上方へ折り曲げ形成される逆折り返し面６４と、逆折り返し面６４の上端の折曲線１０５より水平後方へ折り曲げ形成される第二凸出面６５と、第二凸出面６５の後端の折曲線１０６より上方へ折り曲げ形成される立ち上がり面６３と、立ち上がり面６３の上端の折曲線１０７より水平前方へ折り曲げ形成される押さえ面６６とを形成する。
【００１６】
図４は、押さえ片６右側の切り欠かれた部分の断面図である。この部分は、箱内へ折り込まれたときに、周壁２の上端の折曲線１０１で包装箱内下方へ折り曲げ形成される折り返し面６１のみを形成する。したがって、この部分では、天井面は蓋４１が構成する。
【００１７】
このように、包装箱１の内部は、第一凸出面６２と、第二凸出面６５と、蓋４１によるそれぞれ高さの異なる３つの天井面を有することとなり、さらに、第一凸出面６２と第二凸出面６５の箱内へと凸出する高さは、切れ込み６７の両側に設けられた折曲線の位置を変更することにより容易に調整可能であるため、高さの異なる３つの化粧料容器のそれぞれの高さにあわせて、それぞれの凸出面の高さを任意に設定することができる。
【００１８】
もっとも背の高い化粧料容器の高さと同一に包装箱１の高さを設定し、各凸出面の高さを残りの容器と同一の高さになるように設定することで、収納された容器は蓋と凸出面に上部より押さえられて、内部でガタつくことなく安定的に保持されるが、上部より多少の押圧を容器にかけることによって収納は更に安定するため、凸出面の高さを、収納される容器の高さよりも３ｍｍ程度低くなるように設定することがより好ましい。
【００１９】
また、上記押さえ面は、押さえ片が箱内に折り込まれたときの形状を安定させる役割をもつ。すなわち、押さえ面が蓋４１を裏側より押さえることで、凸出面に下方より圧力が加わったときでも、立ち上がり面が前後に動いてしまうことによる型崩れを防ぐことができる。かかる押さえ面の長さ（包装箱１の厚み方向）は任意に選択することができ、包装箱１の厚みの３分の１程度から厚みいっぱいの長さの間で適宜選択することができる。なお、包装箱１が弾性を有する素材で作られているとき、押さえ面の押圧によって蓋４１がふくらむ場合もあり、かかる場合、押さえ面の一部を図１の押さえ面６６の右側のように切り欠くと蓋４１への押圧が減り、箱の上面がふくらみにくくなるのでより好ましい。
【００２０】
本発明に係る容器用包装箱は、ポリプロピレン、ポリエチレンテフレタート(ＰＥＴ)、などの透明合成樹脂や不透明合成樹脂、紙、蒸着紙等より適宜選択することができる。
【００２１】
本発明に係る容器用包装箱の使用法は以下のとおりである。まず、箱体に組み立てられた包装箱１の上部より製品容器を収納する。次に、押さえ片６を箱内へ折り込み、収納されている３つの容器のうち、高さの低いほうの２つの上部を２つの凸出面により押さえる。最後に、蓋４１の折曲線１０の先を箱内に差込み、差込片２２を差込部４３に係合させればよい。
【００２２】
上記のとおり、本発明に係る容器用包装箱は、箱内に異なる高さに凸出する押さえ片により、高さの異なる３つの製品容器を安定的に保持することができ、また、押さえ片に形成された切れ込みと折曲線の位置、数を変更するだけで、様々な寸法・形状の容器に対応することができるため、ひとつのシート抜き型からさまざまなバリエーションの包装箱を簡易に製作することができ、低資源、低コストが期待できる。更には、本発明に係る容器用包装箱は、収納する容器をガタつかないように固定する機能と、包装箱としての外観を整える機能の両方を有しながら、１枚のシート素材より一体的に成形することができ、従来のように保護トレーと包装箱の２つの部材を必要としないため、廃棄したときのゴミも削減することができる。
【００２３】
図５は、本発明に係る容器用包装箱の別の実施態様の展開図である。この実施態様では切れ込み６７の右側の折曲線１０８ないし１１０の位置が異なっており、図６に示すように、箱内へ折り込まれたときに、周壁２の上端の折曲線１０１で包装箱内下方へ折り曲げ形成される折り返し面６１と、折り返し面６１の下端の折曲線１０８で斜め上後方へ折り曲げられるとともに、包装箱の中央付近で折曲線１０９より斜め下後方へ折り曲げ形成される第二凸出面６８と、第二凸出面６８の後端の折曲線１１０より上方へ折り曲げ形成される立ち上がり面６３と、立ち上がり面６３の上端の折曲線１０７より水平前方へ折り曲げ形成される押さえ面６６とを形成する。
【００２４】
図７は、この実施態様の容器用包装箱に化粧料容器を収納した状態を示す斜視図である。第二凸出面をこのように、中央の折曲線１０９を頂角とする山型に形成することで、チューブ容器に対しても安定して収納することが可能となる。すなわち、チューブ容器は通常、キャップ部を下にした状態で収納されるが、チューブの上端部（キャップとは反対側）は、側面視で先細り形状になっており、上端部が一直線状となっているため、上から平面状の凸出面を当接させても平面回転方向の固定をすることができない。しかし、この実施態様の化粧料容器用包装箱は、折曲線１０９部分で第二凸出面６８が屈折している部分にチューブの上端部が当接し、ガタつくことなく安定的に保持される。
【産業上の利用可能性】
【００２５】
以上説明したように、本発明の容器用包装箱は、セット販売のニーズがある様々な分野の商品に応用可能なものであるが、特に、シリーズのセット商品やトラベルセット等の多い化粧料分野において、化粧料容器用包装箱としての実施が本発明の効果を十分に享受でき、好ましい。
【図面の簡単な説明】
【００２６】
【図１】本発明に係る容器用包装箱の展開図。
【図２】本発明に係る容器用包装箱の断面図。
【図３】本発明に係る容器用包装箱の断面図。
【図４】本発明に係る容器用包装箱の断面図。
【図５】本発明に係る容器用包装箱の異なる実施態様の展開図。
【図６】本発明に係る容器用包装箱の異なる実施態様の断面図。
【図７】本発明に係る容器用包装箱の異なる実施態様の斜視図。
【符号の説明】
【００２７】
１  …  …  包装箱
２  …  …  周壁
３  …  …  周壁
４  …  …  周壁
５  …  …  周壁
６  …  …  押さえ片
１０  …  …  折曲線
２１  …  …  糊代
２２  …  …  差込片
３１  …  …  折込片
３２  …  …  折込片
４１  …  …  蓋
４２  …  …  底蓋
４３  …  …  差込部
５１  …  …  折込片
５２  …  …  折込片
６１  …  …  折り返し面
６２  …  …  第一凸出面
６３  …  …  立ち上がり面
６４  …  …  逆折り返し面
６５  …  …  第二凸出面
６６  …  …  押さえ面
６７  …  …  切れ込み
６８  …  …  第二凸出面
１０１  …  …  折曲線
１０２  …  …  折曲線
１０３  …  …  折曲線
１０４  …  …  折曲線
１０５  …  …  折曲線
１０６  …  …  折曲線
１０７  …  …  折曲線
１０８  …  …  折曲線
１０９  …  …  折曲線
１１０  …  …  折曲線
以    上
【図１】
0004921293.tif 000002
【図２】
0004921293.tif 000003
【図３】
0004921293.tif 000004
【図４】
0004921293.tif 000005
【図５】
0004921293.tif 000006
【図６】
0004921293.tif 000007
【図７】
0004921293.tif 000008